(57)【要約】【課題】重機を用いた店舗の破壊による窃盗行為に対して必要な強度を有する、簡易に構築できる安価な防犯店舗構造物を提供すること。【解決手段】プレキャスト鉄筋コンクリート製の壁材及び屋根材を接合ボルトで組み立て、かつ、モルタル充填可能な接合部には充填モルタルして構築した防犯目的店舗構造物。好ましくは、店舗入口を含む４面壁体と屋根で囲繞された店舗室として構成し、店舗内にさらにプレキャスト鉄筋コンクリート製の壁材で仕切りを設けてプレキャスト鉄筋コンクリート製の壁材及び屋根材及び防犯扉で囲まれた密室を設け、前記仕切りも接合ボルト及び充填モルタルで組み立てる。特にＡＴＭ店舗構造物。【選択図】      図１
2004316347.tif 000002
【特許請求の範囲】
【請求項１】
プレキャスト鉄筋コンクリート製の壁材及び屋根材を接合ボルトで組み立て、かつ、モルタル充填可能な接合部にモルタル充填して構築したことを特徴とする防犯目的店舗構造物。
【請求項２】
店舗入口を含む４面壁体と屋根で囲繞された店舗室として構成されていることを特徴とする請求項１に記載の防犯目的店舗構造物。
【請求項３】
店舗内にさらにプレキャスト鉄筋コンクリート製の壁材で仕切りを設けてプレキャスト鉄筋コンクリート製の壁材及び屋根材及び防犯扉で囲まれた密室を設け、前記仕切りも接合ボルト及び充填モルタルで組み立てられたことを特徴とする請求項１又は２に記載の防犯店舗構造物。
【請求項４】
請求項１〜３のいずれか１項に記載の防犯目的店舗構造物からなることを特徴とするＡＴＭ店舗構造物。
【発明の詳細な説明】
【０００１】
【発明の属する技術分野】
本発明はプレキャスト鉄筋コンクリート製防犯店舗構造物及びＡＴＭ店舗構造物に関する。
【０００２】
【従来の技術】
無人のＡＴＭ店舗などは、従来、通常のプレハブ家屋と同様の簡易構造物で構築されており、軽量鉄骨などを構造材とし鉄鈑あるいは合板製のパネル壁とした構造物などが利用されてきた。
【０００３】
ところが、最近、無人のＡＴＭ店舗を夜間にブルドーザなどの重機で壁を破壊し、内部のＡＴＭ機を丸ごと運び出す手口の窃盗犯罪が多発した。
【０００４】
【発明が解決しようとする課題】
このような重機を用いた店舗の破壊では、防犯警報に基づいて警備員や警察官が現場に駆けつけても、犯行が短時間であるため窃盗犯の逮捕に間に合わない事態が生じている。
【０００５】
勿論、無人のＡＴＭ店舗を頑丈な鉄筋コンクリート構造で構築すれば、重機による破壊といえども犯行に時間がかかるので、防犯対策には有効であるが、そのような鉄筋コンクリート構造物ではコストがかかりすぎる欠点があり、実用的でなく、どこでも簡単には採用できるものではない。
【０００６】
そこで、本発明はこのような重機を用いた店舗の破壊による窃盗行為に対処でき、かつ簡易に構築できる、安価な防犯店舗構造物を提供することを目的とするものである。
【０００７】
【課題を解決するための手段】
本発明は、上記目的を解決するために下記を提供するものである。
【０００８】
（１）プレキャスト鉄筋コンクリート製の壁材及び屋根材を接合ボルトで組み立て、かつ、モルタル充填可能な接合部にモルタル充填して構築したことを特徴とする防犯目的店舗構造物。
【０００９】
（２）店舗入口を含む４面壁体と屋根で囲繞された店舗室として構成されていることを特徴とする上記（１）に記載の防犯目的店舗構造物。
【００１０】
（３）店舗内にさらにプレキャスト鉄筋コンクリート製の壁材で仕切りを設けてプレキャスト鉄筋コンクリート製の壁材及び屋根材及び防犯扉で囲まれた密室を設け、前記仕切りも接合ボルト及び充填モルタルで組み立てられたことを特徴とする上記（１）（２）に記載の防犯店舗構造物。
【００１１】
（４）上記（１）〜（３）に記載の防犯目的店舗構造物からなることを特徴とするＡＴＭ店舗構造物。
【００１２】
【発明の実施の形態】
本発明が提供する防犯目的店舗構造物は、プレキャスト鉄筋コンクリート製の壁材及び屋根材を接合ボルトで組み立て、かつ、モルタル充填可能な接合部にモルタル充填して構築したことを特徴とする。
【００１３】
即ち、壁材及び屋根材をプレキャスト鉄筋コンクリート製とすることで、従来の鋼鈑製あるいは合板製の壁材及び屋根材を用いた店舗と比べて顕著に強度、耐衝撃性を高めることができる。たとえ重機による破壊であっても犯行に５〜１０分間以上の時間を要するようにすれば、多くの場合に防犯警備目的は達成される。プレキャスト鉄筋コンクリート製の壁材及び屋根材は、一般家屋用途には既に用いられていて、一般家屋用途では軽量化のために内部を刳り抜いた形状で使用されている。この壁材と屋根材をそのまま使用した場合でも、耐衝撃性は優れているので、防犯警備目的は達成することは可能であるが、好ましくは肉厚が１０ｃｍもしくは１２ｃｍ以上であることがより望ましい。さらには１５ｃｍ以上であることもできる。一般家屋用途の壁材及び屋根材の内部を刳り抜かない平面形状とする肉厚製品とすることで、ボルト接合部を除いて実質的に全面を１２ｃｍ以上確保することが可能となり、より効果的に耐衝撃性を高めたプレキャスト鉄筋コンクリート製壁材及び屋根材を従来の製造設備をそのまま利用して簡易に製造できるメリットもある。
【００１４】
また、本発明の店舗構造物は、プレキャスト鉄筋コンクリート製の壁材及び屋根材を接合ボルト及び充填モルタルで組み立てる工法を採用することで、頑強、高強度でありながら、組み立ても極めて簡単であり、低コストであることができる。
【００１５】
プレキャスト鉄筋コンクリート製の壁材及び屋根材を接合ボルトで接合するには、壁材どうし、屋根材どうし、及び壁材と屋根材の間では、接合すべき部材の両方の接合部の接合用の穴にボルトを通し、ナットで締め付ける。また、地上床（基礎）に対しては、鉄筋コンクリート構造の基礎に埋め込んだボルト（アンカーボルト）に、プレキャスト鉄筋コンクリート製壁材に設けたボルト通し用の穴を通して、ボルトを締め付ければよい。またボルト接合が上下（垂直）方向であれば穴内にモルタルを充填してさらに接合を補強することができる。ボルト接合が横（水平）方向の場合にはモルタル充填は難しいのでモルタル充填は一般に採用されない。
【００１６】
一般的には、プレキャスト鉄筋コンクリート製の壁材及び屋根材を部材ごとに工場で生産し、現場に運んで、現場で接合ボルト及び充填モルタルで組み立てる施工を行うが、壁材は一部屋単位の壁面を一部材で構成してもよいし、モジュール構成（例えば、幅１３５０ｍｍ、９００ｍｍ、６９０ｍｍ、４５０ｍｍ、高さ２１０ｍｍ）にしてもよい。さらに、店舗構造物の上物全部を一体物として工場生産して、現場に運搬し、地上床に対して組み付けるだけの製法及び工法を採用してもよい。
【００１７】
このような本発明の防犯店舗構造物は、プレキャスト鉄筋コンクリート製の壁材は、現場施工では使用が困難なコンクリート（低水比など）を使用できるので通常の鉄骨製構造物と比べても耐衝撃性が高いという特徴も有することができる。
【００１８】
また、上記の如く、特殊な施工技術を必要とせず、施工が簡単である効果も有している。
【００１９】
さらに、断熱性、気密性が高く、内部に設置するＡＴＭ機器などの安定動作にも有利であるという効果もある。
【００２０】
防犯店舗の構造としては、店舗入口を含む４面壁体と屋根で囲繞された店舗室として構成することが簡単で、かつ構造的強度にも優れるので好ましい。店舗の周囲の環境にも依存するが、店舗開店時の安全のためには店舗の内部が屋外から見通しがよいことが望ましいので、店舗入口側や側面の壁体にはガラス製の壁や扉や窓ガラスを設けてもよい。勿論、それらのガラス構造部が破壊されるだけで内部の防犯目的物の奪取が容易でないような設計にすることが必要であり、窓などは適当に小さくされるであろうし、また入口側透視ガラスは小さく分割されることができる。
【００２１】
店舗では入口が不可欠であるので、また上記のように入口側では屋外からの透視をよくすることが望ましいことから、店舗入口側は強度的に弱点になることが多いので、本発明の好適な態様によれば、店舗内にさらにプレキャスト鉄筋コンクリート製の壁材で仕切りを設けてプレキャスト鉄筋コンクリート製の壁材及び屋根材及び防犯扉で囲まれた部屋、より好ましくは密室構造を設け、この仕切りもプレキャスト鉄筋コンクリート製の壁材を接合ボルト及び充填モルタルで組み立てて構築した防犯店舗構造物とすることができる。この態様によれば、客が入場する領域の側壁面に窓を設けて内部の透視をよくして客の安全性を考慮した場合にも、別途に頑丈な壁材で囲繞された密室を構築することで金庫やＡＴＭ機などの防犯性を高めることができる。
【００２２】
店舗内に密室を設けた場合にも、ＡＴＭ機器などは密室内に閉じ込めることができず、密室外側の店舗内部の客室に少なくとも一部が露出する必要があるが、ＡＴＭ機器などを囲む形で仕切り壁を存在させるだけでも、仕切り壁を破壊しないと重機でＡＴＭ機器などを取り出すことができないので、重機によるＡＴＭ機器などの取り出しを非常に困難にする効果がある。また必要であればＡＴＭ機を仕切り壁に何らかの手段で固定する手段を採用することも可能である。
【００２３】
本発明の店舗構造物の組み立て工程は、基礎工事→躯体組立工事→内外装仕上工事、設備工事→完工という短期の施工が可能である。特に防犯目的には頑強な基礎工事が重要になるが、駆体組立工事は実労２日で完了可能であり（ウェットジョイント部分の養生期間は別）、さらには合理化工法を用いれば１日でも完了可能である。
【００２４】
【実施例】
図面を参照して本発明の防犯店舗構造物の１例を説明する。
【００２５】
この防犯店舗構造物はＡＴＭ機器を設置したＡＴＭ店舗の例である。図１は外観イメージ図、図２は平面図、図３は躯体見取り図、図４は組立イメージ図、図５はボルト接合部の断面図、図６は内装壁構造を示す横断面図である。
【００２６】
図１では、地上に基礎工事されたコンクリート製地上床構造物（１）の上に、４面の壁（２〜５）で囲まれ、平屋根（６）を設けて無人ＡＴＭ店舗が構築されている。正面（２）は入口であり、ガラス製のウィンドウ（２ａ）とガラス製の扉（２ｂ）があり、側面（３）にもガラス窓（３ａ）が設けられている。正面入口の屋根部にはシャッターを格納できる雨よけ庇部（６ａ）が設けられている。正面のガラス製のウィンドウ（２ａ）とガラス製の扉（２ｂ）及び側面の窓（３ａ）は、内部が透視できるようにして開業時間における安全性を考慮したものであり、必要に応じて異なる構成にすることができる。例えば、正面のウィンドウ（２ａ）を無くして扉（２ｂ）だけをガラス製にすることができる。側面（３）の窓は周囲環境に応じて変形しあるいは無くすことができる。
【００２７】
図２を参照すると、両側面（３，４）と裏面（５）の壁材がプレキャスト鉄筋コンクリート製の壁材で形成されるとともに、室内に仕切り壁（７）が存在し、両側面（３，４）と裏面（５）の壁と仕切り壁（７）とで囲まれたバックスペースあるいは密室（８）が形成されている。この仕切り壁（７）には防犯扉（７ｂ）を有するとともに、ＡＴＭ機器（７ｃ）がはめ込まれた構造になっている。ＡＴＭ機器（７ｃ）の数は任意であり、７ｄはＡＴＭ機器周辺設備である。仕切りの手前の入口側がＡＴＭコーナーとして利用される。
【００２８】
また、図２に見られるように、プレキャスト鉄筋コンクリート製の壁材（１３）はくり抜きのない平板状のパネルであり、ボルト接合用部分を除いて実質的に全面が例えば１２ｍｍの肉厚である。また、この壁材はプレキャスト鉄筋コンクリート製であることから現場施工では困難なスランプ２ｃｍの固練りコンクリートで製造できるので、例えば３０Ｎ／ｍｍ２以上の強度を実現することができる。
【００２９】
図２〜４を参照すると、壁材が幅９００ｍｍ等のモジュールで組み立てられ、四隅にはコーナー接合用の構造物が存在することが見られる。図３はプレキャスト鉄筋コンクリート製の壁材及び屋根材の躯体見取り図、図４はプレキャスト鉄筋コンクリート製板材モジュールの組立イメージが示されている。壁材（１３）は地上基礎工事（１１）及び屋根材（１６）に対して上下にボルト接合（２１）され、また壁材どうし横方向もボルト接合（２２）されている。また、この例では屋根材（１６）はパラペット（立壁）と一体にしたパネルを用いている。
【００３０】
図５を参照すると、壁材（１３）と基礎（１１）との接合部、及び壁材（１３）と壁材（１３）との接合部の接合方法が示されている。壁材（１３）と基礎（１１）との接合部では、基礎（１１）に埋設されたアンカーボルト（２１ａ）が壁材（１３）の結合用穴を貫通し、スプリングワッシャー（２１ｂ）とナット（２１ｃ）で締め付けて接合されるとともに、結合用穴内がモルタル充填（２１ｄ）されている。壁材（１３）と壁材（１３）との接合部では、壁材（１３）の結合用穴を貫通したボルト（２２ａ）を座金（２２ｂ）とナット（２２ｃ）で締め付け接合されている。壁材（１３）と基礎（１１）との接合部及び壁材（１３）と壁材（１３）との接合部の強度はボルト（２２ａ）を選択してコンクリートパネルの強度以上にされる。
【００３１】
図６に内装の例を示す。壁部材（３１）の内側に、順にウレタンフォーム（３２）、空気層（３３）、内装材（３４）を設けている。プレキャスト鉄筋コンクリート製板材は高性能断熱材であることができ、さらにウレタンフォームを現場発泡することで、切れ目の極めて少ない断熱層を構成することができ、また気象条件、要求性能に応じた断熱仕様も可能である。また気密性がよいので、塵埃などの侵入を最小限に抑えることも可能である。空調も容易であり、ＡＴＭ機器の安定動作にも有効である。
【００３２】
【発明の効果】
本発明によれば、重機を用いた店舗の破壊による窃盗行為に対して必要な強度を有する、簡易に構築できる安価な防犯店舗構造物、特にＡＴＭ店舗構造物が提供される。ＡＴＭ店舗構造物の重機による破壊窃盗犯罪に緊急に対処する方策が求められているので、本発明により安価かつ簡単に製造構築でき、しかも十分な防犯性能を有する、防犯店舗構造物が提供されることの効果は現場において著しいものがある。
【図面の簡単な説明】
【図１】本発明の防犯店舗構造物はＡＴＭ機器を設置したＡＴＭ店舗の例の外観イメージ図である。
【図２】図１のＡＴＭ店舗の平面図である。
【図３】図１のＡＴＭ店舗の躯体見取り図である。
【図４】図１のＡＴＭ店舗の組立イメージ図である。
【図５】図１のＡＴＭ店舗などのボルト接合部を示す断面図である。
【図６】図１のＡＴＭ店舗の内装壁構造の例を示す横断面図である。
【符号の説明】
１…基礎工事
２…正面
３、４…側面
５…裏面
６…屋根
７…仕切り
８…ＡＴＭ機器
１１…基礎
１３…壁材
２１ａ…アンカーボルト
２１ｄ…充填モルタル
２２ａ…結合用ボルト
【図１】
2004316347.tif 000003
【図２】
2004316347.tif 000004
【図３】
2004316347.tif 000005
【図４】
2004316347.tif 000006
【図５】
2004316347.tif 000007
【図６】
2004316347.tif 000008